【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
始動口への遊技球の入球を契機として、当否抽選を行い、該抽選結果が当りの場合に、大入賞口を開閉させる特別遊技を実行する遊技制御手段と、前記遊技制御手段の当否抽選結果に基づいて、演出表示装置で表示演出を実行制御する演出制御手段とを備えた弾球遊技機において、
遊技者が操作可能な演出操作手段を備え、
前記演出制御手段は、前記演出操作手段の操作に基づいて成立可能な操作条件が夫々に割り当てられた複数の操作段階から構成された、各操作段階での操作条件の成立により次の操作段階へ移行する操作段階演出を、予め定められた操作有効期間における前記演出操作手段の操作によって実行制御する操作演出処理手段と、
該操作演出処理手段は最終の操作段階の操作条件の成立が可能な場合と不可能な場合があり、最終の操作段階の操作条件の成立により情報結果演出を実行され、
前記操作段階演出の、第一操作段階を除く上位の操作段階のいずれか又は全ての上位の操作段階で、前記演出操作手段の操作に基づいて、最終の操作段階の操作条件が成立することとなる期待度を示す期待演出を実行する期待演出処理手段とを備えてなるものであることを特徴とする弾球遊技機。
【請求項２】
操作段階演出は、少なくとも第一操作段階の操作条件よりも成立困難な操作条件が割り当てられた一又は複数の特定の操作段階を備えてなり、
期待演出処理手段は、少なくとも一の前記特定の操作段階で、期待演出を実行するものであることを特徴とする請求項１に記載の弾球遊技機。
【請求項３】
期待演出は、相互に異なる期待度を示す複数の期待演出段階からなり、
期待演出処理手段は、期待演出を実行する操作段階における演出操作手段の操作に基づいて、次の期待演出段階へ移行するように、該期待演出を実行制御するものであることを特徴とする請求項１又は請求項２に記載の弾球遊技機。
【請求項４】
所定の自動操作条件が成立することにより、自動で演出操作手段の連続操作を実行する自動連続操作手段を備えたものであって、
演出制御手段は、前記自動連続操作手段により自動で連続操作が実行されている場合に、期待演出処理手段による期待演出を実行しない処理内容を備えていることを特徴とする請求項１乃至請求項３のいずれか１項に記載の弾球遊技機。
【請求項５】
始動口への遊技球の入球を契機として、当否抽選を行い、該抽選結果が当りの場合に、大入賞口を開閉させる特別遊技を実行する遊技制御手段と、前記遊技制御手段の当否抽選結果に基づいて、演出表示装置で表示演出を実行制御する演出制御手段とを備えた弾球遊技機において、
遊技者が操作可能な演出操作手段を備え、
前記演出制御手段は、予め定められた操作有効期間における前記演出操作手段の操作に基づいて成立可能な複数の操作条件を備え、該操作条件の成立に従って演出変化される操作変化演出を実行制御する操作演出処理手段と、
該操作演出処理手段は最終の操作条件成立が可能な場合と不可能な場合があり、最終の操作条件の成立により情報結果演出を実行され、
前記操作変化演出中に、最終の操作条件が成立することとなる期待度を示す期待演出を実行する期待演出処理手段とを備えてなるものであることを特徴とする弾球遊技機。
【手続補正２】
【補正対象書類名】明細書
【補正対象項目名】０００７
【補正方法】変更
【補正の内容】
【０００７】
本発明の第一発明は、始動口への遊技球の入球を契機として、当否抽選を行い、該抽選結果が当りの場合に、大入賞口を開閉させる特別遊技を実行する遊技制御手段と、前記遊技制御手段の当否抽選結果に基づいて、演出表示装置で表示演出を実行制御する演出制御手段とを備えた弾球遊技機において、遊技者が操作可能な演出操作手段を備え、前記演出制御手段は、前記演出操作手段の操作に基づいて成立可能な操作条件が夫々に割り当てられた複数の操作段階から構成された、各操作段階での操作条件の成立により次の操作段階へ移行する操作段階演出を、予め定められた操作有効期間における前記演出操作手段の操作によって実行制御する操作演出処理手段と、該操作演出処理手段は最終の操作段階の操作条件の成立が可能な場合と不可能な場合があり、最終の操作段階の操作条件の成立により情報結果演出を実行され、前記操作段階演出の、第一操作段階を除く上位の操作段階のいずれか又は全ての上位の操作段階で、前記演出操作手段の操作に基づいて、最終の操作段階の操作条件が成立することとなる期待度を示す期待演出を実行する期待演出処理手段とを備えてなるものであることを特徴とする弾球遊技機である。
また、本明細書において参考として開示する第１の開示発明は、始動口への遊技球の入球を契機として、大当りか否かの当否抽選を行い、該抽選結果が大当りの場合に、大入賞口を開閉させる特別遊技を実行する遊技制御手段と、前記遊技制御手段の当否抽選結果に基づいて、演出表示装置で表示演出を実行制御する演出制御手段とを備えた弾球遊技機において、遊技者が操作可能な演出操作手段を備え、前記演出制御手段は、前記演出操作手段の操作に基づいて成立可能な操作条件が夫々に割り当てられた複数の操作段階から構成された、各操作段階での操作条件の成立により次の操作段階へ移行する操作段階演出を、予め定められた操作有効期間における前記演出操作手段の操作によって実行制御する操作演出処理手段と、前記操作段階演出の、第一操作段階を除く上位の操作段階のいずれか又は全ての上位の操作段階で、前記演出操作手段の操作に基づいて、当該操作段階の操作条件または全ての操作段階の操作条件を成立することとなる期待度を示す期待演出を実行する期待演出処理手段とを備えてなるものであることを特徴とする弾球遊技機である。
【手続補正３】
【補正対象書類名】明細書
【補正対象項目名】００１９
【補正方法】変更
【補正の内容】
【００１９】
また、本発明の第五発明は、始動口への遊技球の入球を契機として、当否抽選を行い、該抽選結果が当りの場合に、大入賞口を開閉させる特別遊技を実行する遊技制御手段と、前記遊技制御手段の当否抽選結果に基づいて、演出表示装置で表示演出を実行制御する演出制御手段とを備えた弾球遊技機において、遊技者が操作可能な演出操作手段を備え、前記演出制御手段は、予め定められた操作有効期間における前記演出操作手段の操作に基づいて成立可能な複数の操作条件を備え、該操作条件の成立に従って演出変化される操作変化演出を実行制御する操作演出処理手段と、該操作演出処理手段は最終の操作条件成立が可能な場合と不可能な場合があり、最終の操作条件の成立により情報結果演出を実行され、前記操作変化演出中に、最終の操作条件が成立することとなる期待度を示す期待演出を実行する期待演出処理手段とを備えてなるものであることを特徴とする弾球遊技機である。
また、本明細書において参考として開示する第２の開示発明は、始動口への遊技球の入球を契機として、当否抽選を行い、該抽選結果が当りの場合に、大入賞口を開閉させる特別遊技を実行する遊技制御手段と、前記遊技制御手段の当否抽選結果に基づいて、演出表示装置で表示演出を実行制御する演出制御手段とを備えた弾球遊技機において、遊技者が操作可能な演出操作手段を備え、前記演出制御手段は、予め定められた操作有効期間における前記演出操作手段の操作に基づいて成立可能な複数の操作条件を備え、該操作条件の成立に従って演出変化される操作変化演出を実行制御する操作演出処理手段と、前記操作変化演出中の、第一の操作条件と最後の操作条件とを除く特定の操作条件が成立すると、前記演出操作手段の操作に基づいて、以降の操作条件を成立することとなる期待度を示す期待演出を実行する期待演出処理手段とを備えてなるものであることを特徴とする弾球遊技機である。